(57)【要約】      （修正有）【課題】他社が開発したレジャーチェアに応用することができ、操作が簡単で、且つ生産コストを下げることができるレジャーチェアの背もたれ角度調整固定部を提供する。【解決手段】後脚架20の前端22は前脚架10に連結され、背架30の底端は後脚架に連結され、前脚架の後部は背架に連結され、前脚架と後脚架及び背架と後脚架との結合部分は枢軸結合され、背架の固定環50にサイドロッド12を貫通させ、背架の角度を変える場合、固定環はサイドロッド上を滑動して調整固定部が設置され、背架の角度を調整或は固定され、調整固定部はＣ型環60と蓋70と前脚架上に複数のストッパー13、14が構成され、Ｃ型環はサイドロッド上の固定環に回転するように枢軸設置され、Ｃ型環の環溝の幅はストッパーが充分に通過できる長さに形成され、Ｃ型環とストッパーとを相対或は非相対状態にして角度調整を行なう構成とされる。【選択図】図１
0003103072.tif 000002
【実用新案登録請求の範囲】
【請求項１】
レジャーチェアは、前脚架と後脚架と背架とで構成され、
上記前脚架の前端及び上記後脚架の後端は着地端をなし、
上記後脚架の前端は、斜め上向きの状態で上記前脚架の中段に連結され、
上記背架の底端は、上記後脚架の中段に連結され、
上記前脚架の後部は、斜め上向きの状態で上記背架の中段に連結され、
上記前脚架と上記後脚架との結合部分及び上記背架と上記後脚架との結合部分は、可動するように枢軸結合され、
上記背架の両側中段に相対して、それぞれ固定環を有し、上記固定環に上記前脚架の左右のサイドロッドの後端を貫通させ、上記背架の角度を変える場合、上記背架の両側に設置された２つの上記固定環は相対する左右２つの上記サイドロッド上を滑動し、一組の調整固定部が設置されることにより、上記背架の角度を調整或は固定し、
上記調整固定部は、Ｃ型環と蓋と上記前脚架上に間隔をおいて設置される複数のストッパーとから構成され、
上記Ｃ型環は、上記サイドロッド上の上記固定環の後部に回転するように枢軸設置され、上記Ｃ型環は環溝を有し、上記環溝の幅は上記ストッパーが充分に通過できる長さに形成され、上記固定環は更に上記ストッパーを通過させる為の溝を有し、上記Ｃ型環を回転させ、上記Ｃ型環と上記ストッパーとを相対或は非相対状態にして上記背架の角度調整を行なうことを特徴とするレジャーチェアの背もたれ角度調整固定部。
【請求項２】
上記蓋は、上記サイドロッドの末端に嵌合固定により設置されることを特徴とする請求項１記載のレジャーチェアの背もたれ角度調整固定部。
【請求項３】
上記ストッパーは、上記サイドロッド上にハンダ付けにより固定されることを特徴とする請求項１又は２記載のレジャーチェアの背もたれ角度調整固定部。
【考案の詳細な説明】
【技術分野】
【０００１】
本考案はレジャーチェアの背もたれ角度調整固定部に係るものであり、特に、レジャーチェアの背もたれ角度調整固定部の利便性及び機能性を向上させたレジャーチェアの背もたれ角度調整固定部の構造を提供するレジャーチェアの背もたれ角度調整固定部に係るものである。
【背景技術】
【０００２】
現在市販されている多くのレジャーチェアは、消費者のニーズに合わせて背もたれ角度調整機能を具備している。その構造は、椅子両側のアーム底部に前後方向に間隔を開けて配列した固定溝を有する。また、前後脚架の上端に固定溝に対応する１つの固定ロッドを有する。このような構造により、アーム底部の固定溝に固定ロッドを嵌入させる位置を調整し、背もたれの傾斜角度を調整することができる。
【０００３】
このような従来のレジャーチェアの背もたれ角度調整固定部の構造は、利便性、機能性の問題を解決しておらず、欠点を改良した構造のレジャーチェアの背もたれ角度調整固定部を開発するかが、関係業者では開発目標となっている。
【考案の開示】
【考案が解決しようとする課題】
【０００４】
しかしながら、従来のレジャーチェアの背もたれ角度調整固定部の構造は、可動式アーム及び上端に相対結合できる前、後脚架を具備しなければならない構造形態で、構造の簡略化ができない構造であるが、実際には、各業者が開発するレジャーチェアの構造形態が異なり、異なる構造のレジャーチェアに共通して使用することができないという問題点があった。
【０００５】
また、従来のレジャーチェアの背もたれ角度調整固定部の構造は、上記のように構造形態操作が複雑で、組み立てや角度調整の操作に手間がかかり、またコストがかかってしまうという問題点があった。
【０００６】
従って、本考案は、他社が開発したレジャーチェアに応用することができ、操作が簡単で、且つ生産コストを下げることができるレジャーチェアの背もたれ角度調整固定部を提供することを目的とする。
【課題を解決するための手段】
【０００７】
前記の目的を図るために、本考案は、請求項１に記載されるように、レジャーチェアは、前脚架と後脚架と背架とで構成され、上記前脚架の前端及び上記後脚架の後端は着地端をなし、上記後脚架の前端は、斜め上向きの状態で上記前脚架の中段に連結され、上記背架の底端は、上記後脚架の中段に連結され、上記前脚架の後部は、斜め上向きの状態で上記背架の中段に連結され、上記前脚架と上記後脚架との結合部分及び上記背架と上記後脚架との結合部分は、可動するように枢軸結合され、上記背架の両側中段に相対して、それぞれ固定環を有し、上記固定環に上記前脚架の左右のサイドロッドの後端を貫通させ、上記背架の角度を変える場合、上記背架の両側に設置された２つの上記固定環は相対する左右２つの上記サイドロッド上を滑動し、一組の調整固定部が設置されることにより、上記背架の角度を調整或は固定し、上記調整固定部は、Ｃ型環と蓋と上記前脚架上に間隔をおいて設置される複数のストッパーとから構成され、上記Ｃ型環は、上記サイドロッド上の上記固定環の後部に回転するように枢軸設置され、上記Ｃ型環は環溝を有し、上記環溝の幅は上記ストッパーが充分に通過できる長さに形成され、上記固定環は更に上記ストッパーを通過させる為の溝を有し、上記Ｃ型環を回転させ、上記Ｃ型環と上記ストッパーとを相対或は非相対状態にして背架の角度調整を行なうことにより、他社が開発したレジャーチェアに応用することができ、操作が簡単で、且つ生産コストを下げることができる。
【０００８】
前記の目的を図るために、本考案は、請求項２に記載されるように、上記蓋は上記サイドロッドの末端に嵌合固定により設置されることにより、他社が開発したレジャーチェアに応用することができ、操作が簡単で、且つ生産コストを下げることができる。
【０００９】
前記の目的を図るために、本考案は、請求項３に記載されるように、本考案は、上記ストッパーは、上記サイドロッド上にハンダ付けにより固定されることにより、他社が開発したレジャーチェアに応用することができ、操作が簡単で、且つ生産コストを下げることができる。
【考案の効果】
【００１０】
本考案のレジャーチェアの背もたれ角度調整固定部において、Ｃ型環と蓋と前脚架上に間隔をおいて設置される複数のストッパーとからなる調整固定部により背もたれ角度を調整することができる。
【００１１】
また、上記背もたれ角度調整固定部の構造により、レジャーチェアの背もたれの角度を調整或は固定する時、Ｃ型環を回転させるだけで、その目的を達成することができ、構造及び操作が簡単になり、且つ、製造コストを抑えることができる。
【考案を実施するための最良の形態】
【００１２】
以下に添付図面を参照して本考案のある好適な実施の形態を詳細に説明するが、それらの構成は本考案の構造の絶対的な制限にならない。
【００１３】
図１は、本考案の第１実施例に係るレジャーチェアの背もたれ角度調整固定部を示す斜視図である。図２は、本考案のレジャーチェアの背もたれ角度調整固定部を示す平面側視図である。図３は、本考案の図１に示すＣ型環の拡大図である。図１、２、３は本考案のレジャーチェアの背もたれ角度調整固定部の構造の実施例であり、レジャーチェアは、主に、前脚架１０と後脚架２０と背架３０とで構成されている。また、前脚架１０の前端１１及び後脚架２０の後端２１は、着地端を構成し、後脚架２０の前端２２は斜め上向きの状態で前脚架１０の中段に連結される。背架３０の底端３１は、後脚架２０の中段に連結され、前脚架１０の後部は斜め上向きの状態で背架３０の中段に連結されている。
【００１４】
主な特徴は、前脚架１０と後脚架２０との結合部分及び背架３０と後脚架２０との結合部分が枢軸結合されることにより可動することができる。背架３０の両側中段に相対して、それぞれ固定環５０を有し、固定環５０に前脚架１０の左右のサイドロッド１２の後端を貫通させる。背架３０の角度を変える時、背架３０の両側に設置された２つの固定環５０は相対する左右２つのサイドロッド１２上を滑動、或は、固定されることにより、上記背架３０の角度を調整或は固定をすることができる。
【００１５】
調整固定部の主な特徴は、Ｃ型環６０と蓋７０と前脚架１０上に間隔をおいて設置される複数のストッパー１３、１４とから構成される。尚、ストッパー１３、１４はサイドロッド１２上にハンダ付けにより固定してもよい。
【００１６】
Ｃ型環６０は、サイドロッド１２上の固定環５０の後部に枢軸設置され、回転することができる。Ｃ型環６０は環溝６１を有し、環溝６１の幅はストッパー１３、１４が充分に通過できる長さであり、固定環５０も又ストッパー１３、１４を通過させる為の溝５１を有する。蓋７０はサイドロッド１２の末端に嵌合固定により設置してもよい。
【００１７】
上記構造で構成される本考案の使用動作を下記に示す。
【００１８】
上記前脚架１０の左右のサイドロッド１２上に設置される上記ストッパー１３、１４の数量に制限はなく、上記ストッパー１３、１４の数が多いほど、それに比率して、上記背架３０の角度の設定段数も多くなる。しかしながら、図中では説明の為、２つのストッパー１３、１４のみを示している。
【００１９】
図１、２、３に示すように、Ｃ型環６０の環溝６１がストッパー１３と相対しない時、Ｃ型環６０はストッパー１３に当たり、後方に移動できない。これにより、固定環５０もまた、後方に動く事ができない構造において、背架３０を後に倒す時、背架３０上に設置される固定環５０はサイドロッド１２上を後方に移動し、Ｃ型環６０がストッパー１３に当たり、移動を停止する為、背架３０を後に少し倒した所で停止させることができる。
【００２０】
図４は、本考案のレジャーチェアの角度調整動作を示す斜視図である。図５は、本考案のレジャーチェアの角度調整動作を示す斜視図である。図６は、本考案の図５に示す背もたれの傾斜固定状態の平面側視図である。図７は、本考案のレジャーチェアの背もたれ角度調整固定部の断面図である。
【００２１】
図４に示すように、さらに背架３０を後方に倒すには、環溝６１がストッパー１３に相対するようＣ型環６０を回転させることにより、Ｃ型環６０を後方に移動させることができる。図５に示すように、Ｃ型環６０がストッパー１４の手前まで移動した時、Ｃ型環６０を回転させ、環溝６１とストッパー１４が相対しない状態にすることにより、ストッパー１４手前の位置で停止させることができる。
【００２２】
一方で、背架３０を後方に倒し、固定環５０を後方に移動させる時、固定環５０は溝５１を具備し、ストッパー１３を通過することができる構造により、Ｃ型環６０と一緒にストッパー１４手前まで移動することができる為、背架３０を後方に倒すことができる（図５、６）。
【００２３】
従って、Ｃ型環６０と蓋７０と前脚架１０上に間隔をおいて設置される複数のストッパー１３、１４とからなる調整固定部により背もたれ角度を調整することができる一種のレジャーチェアの背もたれ角度調整固定部の構造を提供することができる。
【００２４】
従って、背もたれ角度調整固定部の構造により、レジャーチェアの背もたれの角度を調整或は固定する時、Ｃ型環６０を回転させるだけで、その目的を達成することができ、構造及び操作が簡単になり、且つ、製造コストを抑えることができる。
【００２５】
尚、本考案のレジャーチェアの背もたれ角度調整固定部は上記の構成や形状に限定されることなく、本考案のレジャーチェアの背もたれ角度調整固定部を変形及び改良した構成においても適応可能である。
【図面の簡単な説明】
【００２６】
【図１】本考案の第１実施例に係るレジャーチェアの背もたれ角度調整固定部を示す斜視図である。
【図２】本考案のレジャーチェアの背もたれ角度調整固定部を示す平面側視図である。
【図３】本考案の図１に示すＣ型環の拡大図である。
【図４】本考案のレジャーチェアの角度調整動作を示す斜視図である。
【図５】本考案のレジャーチェアの角度調整動作を示す斜視図である。
【図６】本考案の図５に示す背もたれの傾斜固定状態の平面側視図である。
【図７】本考案のレジャーチェアの背もたれ角度調整固定部の断面図である。
【符号の説明】
【００２７】
１０          前脚架
１１、２２    前端
１２          サイドロッド
１３、１４    ストッパー
２０          後脚架
２１          後端
３０          背架
５０          固定環
６０          Ｃ型環
７０          蓋
【図１】
0003103072.tif 000003
【図２】
0003103072.tif 000004
【図３】
0003103072.tif 000005
【図４】
0003103072.tif 000006
【図５】
0003103072.tif 000007
【図６】
0003103072.tif 000008
【図７】
0003103072.tif 000009